(57)【要約】【課題】器具本体を解体することなく、ＬＥＤ基板の交換が容易に行える照明器具を提供する。【解決手段】照明器具は、樹脂製の器具本体１及びカバー４と、器具本体１及びカバー４により形成される収納領域に収納されるＬＥＤ基板２及び電源基板３とを備える。器具本体１には、器具本体１の前面に開口する挿入口１２を通して、各基板２、３の器具本体１内部への挿入をガイドするガイド溝１３が設けられている。ガイド溝１３には、器具本体１に埋設された導電板１５とともに電路を形成する給電用端子１５が設けられている。各基板２、３をガイド溝１３によりガイドさせて器具本体１に収納すると、各基板２、３に設けられた被接触部２２、３２が給電用端子１５と接触し、電源基板３からの電力がＬＥＤ基板２に供給される。【選択図】図１
2011134511.tif 000002
【特許請求の範囲】
【請求項１】
光源としてＬＥＤが実装され、表面に前記ＬＥＤの点灯電力を受電するための被接触部が設けられた略板状のＬＥＤ基板と、
前記ＬＥＤ基板の動作電力を供給する給電回路が実装され、表面に前記被接触部が設けられた略板状の電源基板と、
表面に開口する挿入口を通して内部に挿入される前記各基板をガイドするガイド溝を有する器具本体とを備え、
前記器具本体は、前記各基板が内部に挿入された状態で前記被接触部と当接して、前記電源基板からＬＥＤ基板への給電路を形成する接触部を有することを特徴とする照明器具。
【請求項２】
前記器具本体は、前記ＬＥＤ基板及び前記電源基板がそれぞれ挿入される前記挿入口が別個に設けられたことを特徴とする請求項１記載の照明器具。
【請求項３】
前記器具本体は、前記被接触部を前記ガイド溝の内側に有し、
前記接触部は、前記器具本体に挿入された状態で前記ガイド溝と当接する部位に設けられたことを特徴とする請求項１又は２の何れか一項に記載の照明器具。
【請求項４】
前記接触部は、弾性を有し、前記被接触部によって撓められた状態で前記被接触部に当接することを特徴とする請求項３に記載の照明器具。
【請求項５】
前記器具本体は、前記各基板に設けられた係止手段と係止することで、前記基板を器具本体の内部に保持する保持手段を有することを特徴とする請求項１〜４の何れか一項に記載の照明器具。
【請求項６】
前記器具本体は、取出し操作に応じて、前記基板を器具本体の外側に押し出す取出手段を有することを特徴とする請求項１〜５の何れか一項に記載の照明器具。
【発明の詳細な説明】
【技術分野】
【０００１】
本発明は、ＬＥＤを光源とする照明器具に関するものである。
【背景技術】
【０００２】
従来より、小型化及び長寿命化が可能な光源装置として、ＬＥＤ（発光ダイオード）を光源に用いた照明器具が提供されている。また、青色及び白色ＬＥＤが実用され白色の光をＬＥＤで得られるようになったことから、スポット照明などの照明器具においても光源としてＬＥＤを利用したものが提供されている。
【０００３】
ところで、白色ＬＥＤにおいて高い光出力を得ようとすると、白色ＬＥＤの温度が高温になり、白色ＬＥＤのベアチップを覆う樹脂の劣化が急速に進み、光出力が低下してしまうという問題があった。
【０００４】
そこで、電源回路を含めたＬＥＤ部分をモジュール化して交換可能とし、光出力が低下したＬＥＤモジュール（ＬＥＤ基板）を交換することで、光出力の低下に対応した照明器具が考えられている（例えば、特許文献１）。
【０００５】
特許文献１に記載の照明器具は、複数のＬＥＤを表面に実装したＬＥＤ基板と、商用電源からの電力を給電する給電電線に接続された接続器とを備えており、ＬＥＤ基板の発光面に配置されるレンズとともに、器具カバーと器具本体とで構成されたケースの内部に収納されている。ここで、ＬＥＤ基板は接続器の接続端子に着脱自在に接続されており、必要に応じてＬＥＤ基板を接続端子から取り外すことで、ＬＥＤ基板の交換を可能にしている。
【先行技術文献】
【特許文献】
【０００６】
【特許文献１】特開２００３−５９３３１号公報
【発明の概要】
【発明が解決しようとする課題】
【０００７】
しかしながら、特許文献１に記載された照明器具においては、ＬＥＤ基板を交換しようとすると、器具カバー及び器具本体を造営面から取り外して解体する必要があり、また、ＬＥＤ基板を接続端子から脱着するため、非常に手間のかかる作業であった。
【０００８】
本発明は、上記事由に鑑みて為されたものであり、その目的とするところは、器具本体を解体することなく、ＬＥＤ基板の交換が容易に行える照明器具を提供することにある。
【課題を解決するための手段】
【０００９】
上記目的を達成するために、請求項１の発明では、光源としてＬＥＤが実装され、表面に前記ＬＥＤの点灯電力を受電するための被接触部が設けられた略板状のＬＥＤ基板と、前記ＬＥＤ基板の動作電力を供給する給電回路が実装され、表面に前記被接触部が設けられた略板状の電源基板と、表面に開口する挿入口を通して内部に挿入される前記各基板をガイドするガイド溝を有する器具本体とを備え、前記器具本体は、前記各基板が内部に挿入された状態で前記被接触部と当接して、前記電源基板からＬＥＤ基板への給電路を形成する接触部を有することを特徴とする。
【００１０】
請求項２の発明では、請求項１記載の発明において、前記器具本体は、前記ＬＥＤ基板及び前記電源基板がそれぞれ挿入される前記挿入口が別個に設けられたことを特徴とする。
【００１１】
請求項３の発明では、請求項１又は２の何れか一項に記載の発明において、前記器具本体は、前記被接触部を前記ガイド溝の内側に有し、前記接触部は、前記器具本体に挿入された状態で前記ガイド溝と当接する部位に設けられたことを特徴とする。
【００１２】
請求項４の発明では、請求項３記載の発明において、前記接触部は弾性を有し、前記接触部に自身を押し付けて電気的に接続することを特徴とする。
【００１３】
請求項５の発明では、請求項１〜４の何れか一項に記載の発明において、前記器具本体は、前記各基板に設けられた係止手段と係止することで、前記基板を器具本体の内部に保持する保持手段が設けられたことを特徴とする。
【００１４】
請求項６の発明では、請求項１〜５の何れか一項に記載の発明において、前記器具本体は、取出し操作に応じて、前記基板を器具本体の外側に押し出す取出手段を設けたことを特徴とする。
【発明の効果】
【００１５】
請求項１の発明によれば、器具本体の挿入口からＬＥＤ基板及び電源基板を抜き差しすることができるので、各基板を交換する際に器具本体を解体する必要が無くなり、各基板の交換にかかる手間を軽減することができる。また、各基板に設けた被接触部と器具本体に設けた接触部が接触することで、電源基板からＬＥＤ基板への給電路を形成して給電が行われるので、電源基板とＬＥＤ基板の配線作業を行う必要が無くなり、各基板の交換を容易に行うことができる。またＬＥＤ基板と電源基板を個別に交換することができる。
【００１６】
請求項２の発明によれば、ＬＥＤ基板と電源基板とを挿入する挿入口を別個に設けることで、個々の基板を交換する際に他の基板への影響を低減でき、より安全に各基板の交換を行うことができる。
【００１７】
請求項３の発明によれば、ガイド溝に基板を挿入すれば接触部と被接触部とが接触して給電が行われるので、基板を取り付ける為の構造とは別に給電の為の構造を設ける必要が無い。
【００１８】
請求項４の発明によれば、弾性を有する接触部により被接触部が押し付けられるので、接触部と被接触部との接触強度が高まり、より安定して電力の受給電を行うことができる。
【００１９】
請求項５の発明によれば、器具本体に設けた保持部によって、基板は挿入された状態で保持されるので、基板が不用意に器具本体の外側に抜け出ることを防止することができる。
【００２０】
請求項６の発明によれば、取出手段により基板が器具本体の外側に押し出されるので、容易に基板を器具本体から取り外すことができる。
【図面の簡単な説明】
【００２１】
【図１】本実施の形態にかかる照明器具を示す分解斜視図である。
【図２】同照明器具を示す断面図である。
【図３】同照明器具を構成するＬＥＤ基板を示す図であり、（ａ）は取付時における上側、（ｂ）は同下側を示している。
【図４】同照明器具を構成する電源基板を示す図であり、（ａ）は取付時における上側、（ｂ）は同下側を示している。
【図５】同照明器具の要部を示す概略斜視図である。
【図６】同照明器具の要部を示す概略断面図である。
【図７】同照明器具の要部を示す概略断面図である。
【発明を実施するための形態】
【００２２】
以下に本発明の実施の形態を図１〜図７に基づいて説明する。なお、以下の説明においては、図２における上下左右を照明器具の上下左右とし、図２において紙面と垂直な方向を照明器具の前後方向として説明を行う。
【００２３】
本実施の形態にかかる照明器具は、商用電源からの電力供給を受けて動作し、下方側を照明領域とし、天井などの造営面に配設されて使用される。また本実施の形態にかかる照明器具は、図１に示すように、樹脂製の器具本体１及びカバー４と、器具本体１及びカバー４により形成される収納領域に収納されるＬＥＤ基板２及び電源基板３と、器具本体１の下側側面に取り付けられたレンズ５とを備える。
【００２４】
器具本体１は、略楕円柱状に形成されており、その内部にＬＥＤ基板２及び電源基板３をそれぞれ別個に収納可能な収納空間１１ａ、１１ｂを有し、器具本体１の前面から各基板２、３を各収納空間１１ａ、１１ｂに挿入するための挿入口１２ａ、１２ｂが開口している。器具本体１の下側に設けられた収納空間１１ａ及び挿入口１２ａにはＬＥＤ基板２が挿入され、上側に設けられた収納空間１１ｂ及び挿入口１２ｂには電源基板３が挿入される。
【００２５】
また器具本体１は、下側側面の周囲が他の部位よりも外側に突出した鍔部１４が設けられるとともに、下側側面の中央に収納空間１１ａと連通し、収納空間１１ａに収納されたＬＥＤ基板２からの光を下方側に照射するための開口部が設けられ、円盤状に形成された凸レンズからなるレンズ５が取り付けられている。これにより、ＬＥＤ基板２からの光は、開口部を通じてレンズ５に入射され、レンズ５によって拡散されて器具本体１の下方側を照明する。
【００２６】
各収納空間１１（１１ａ、１１ｂ）の内側には、上下方向の幅が各基板２、３の厚みよりもやや大きい長さに設定され、各基板２、３を収納空間１１ａ、１１ｂの内部に収納する際のガイドとなるガイド溝１３ａ、１３ｂがそれぞれ設けられている。ガイド溝１３（１３ａ、１３ｂ）は、各収納空間１１の左右それぞれの側面に器具本体１の前後方向に沿って設けられており、挿入をガイドする各基板２、３に実装された回路部品の高さに応じて、各収納空間１１における上下方向の位置が設定されている。
【００２７】
またガイド溝１３の内部には、後述する各基板２、３の被接触部２２、３２と接触して、各基板２、３との間で電力の受給を行うための受給電用端子１５（１５ａ〜１５ｃ）が左右のガイド溝１３のそれぞれに設けられている（図２を参照）。具体的には、受給電用端子１５ａはガイド溝１３ａの上側側壁に設けられ、受給電用端子１５ｂはガイド溝１３ｂの下側側壁に設けられ、受給電用端子１５ｃはガイド溝１３ｂの上側側壁に設けられている。また器具本体１は、受給電用端子１５ａと受給電用端子１５ｂとを電気的に接続して、電源基盤３からＬＥＤ基板２への給電路となる導電板１６ａが埋設されている。また器具本体１は、商用電源と接続するための接続端子１７が上側側壁に設けられるとともに、受給電用端子１５と接続端子１７とを電気的に接続して、商用電源から電源基板３への給電路となる導電板１６ｂが埋設されている。
【００２８】
ＬＥＤ基板２及び電源基板３は、長径及び短径が収納空間１１の長径及び短径よりもやや長く、ガイド溝１３にガイドされて収納空間１１に収納した際にガイド溝１３の下側側壁と各基板２、３の下側面の端部が当接することでガイド溝１３の下側側壁により保持されるようその大きさが設定されている。
【００２９】
ＬＥＤ基板２は、図３に示すとおり、光源として例えば発光波長が白色領域である複数のＬＥＤ２１…２１が、ＬＥＤ基板２の下側表面に実装されている。またＬＥＤ基板２の上側表面には、ＬＥＤ基板２の回路パターンを介して各ＬＥＤ２１と電気的に接続し、受給電用端子１５ａと接触して各ＬＥＤ２１の点灯電力を受電する被接触部２２、２２が設けられている。またＬＥＤ基板２には、ＬＥＤ基板２を厚み方向に貫通する被係止孔２３、２３が設けられている。被接触部２２、２２及び被係止孔２３、２３は、何れもＬＥＤ基板２の縁側であって、ガイド溝１３にガイドされて収納空間１１ａに収納された際に、ガイド溝１３の内側に設けられた給電用端子１５ａ、ａ及び係止突起１８ａ、１８ａに対応する位置に設けられている。なお、本実施の形態においては、被接触部２２、２２が収納空間１１ａへの収納時における後方側、被係止孔２３、２３が収納時における前方側に設けられている。
【００３０】
電源基板３は、図４に示すとおり、商用電源からの供給電力を受けて動作し、ＬＥＤ基板２の点灯電力を生成する電源回路３１が、電源基板３の上側表面に実装されている。また電源基板３の上側表面には、電源基板３の回路パターンを介して商用電源からの電力を電源回路３１に供給する被接触部３２ａ、３２ａが設けられており、電源基板３の下側表面には、回路パターンを介して接続される電源回路３１からの供給電源を外部に出力する被接触部３２ｂ、３２ｂが設けられている。また電源基板３には、電源基板３を厚み方向に貫通する被係止孔３３、３３が設けられている。各被接触部３２及び各被係止孔３３は、ＬＥＤ基板２と同様に、電源基板３の縁側であって、収納時において給電用端子１５及び係止突起１８ｂに対応する位置に設けられている。
【００３１】
カバー４ａ、４ｂは、それぞれが器具本体１の挿入口１２ａ、１２ｂと略等しい大きさに形成されている。またカバー４ａ、４ｂには、上下方向の位置が器具本体１のガイド溝１３ａ、１３ｂと等しい位置に、各基板２、３を器具本体１の内部に収納して器具本体１に取り付ける際に、各基板２、３への干渉を避けるための溝４１が設けられている。またカバー４ａ、４ｂは、挿入口１２ａ、１２ｂをそれぞれ覆うようにして取り付けられ、器具本体１とカバー４に設けられた係合部（図示せず）が互いに係合することで、器具本体１からの外れ落ちを防止している。
【００３２】
ここで、給電用端子１５の詳細について、各被接触部２２、３２と接触する際の動作を含めて図５を用いて説明を行う。なお、以下の説明においては、ガイド溝１３ａの上側側壁に設けられた給電用端子１５ａを例として説明を行うが、給電用端子１５ｃにおいても同様の構成であり、また、給電用端子１５ｂにおいても上下方向が異なる以外は同様の構成である。
【００３３】
給電用端子１５ａは、図５に示すとおり、弾性を有し且つ導電性の良好な銅などの金属からなる導電板１６を折曲加工して形成されており、器具本体１の前後方向に沿ってガイド溝１３ａの上側から下側に向けて斜めに傾斜している。また給電用端子１５ａの中央部は、下方向に突出した円弧状に形成されている。ここで、ＬＥＤ基板２の両側縁をガイド溝１３ａにガイドさせた状態で、ＬＥＤ基板２を器具本体１の前方側（図５の左手前側）から後方（図５の右奥側）に向けて押すと、ＬＥＤ基板２により給電用端子１５ａは上方側に押し上げられるので、給電用端子１５ａには下方向への弾性力がＬＥＤ基板２を押下げるように働く。そのままＬＥＤ基板２を器具本体１の最後方まで挿入すると、ＬＥＤ基板２の被接触部２２が給電用端子１５ａと接触する。ここで給電用端子１５ａは、弾性力によって被接触部２２を押し下げられるので、給電用端子１５ａの中央部が被接触部２２と高い接触強度で接触するとともに、給電用端子１５ａとガイド溝１３ａの内面との間でＬＥＤ基板２が狭持される。これにより、ＬＥＤ基板２をガイド溝１３に沿って挿入するだけで、給電用端子１５ａと被接触部２２との間で安定した電力の受給電が行われる。なお、給電用端子１５ｂ、１５ｃにおいては、各給電用端子１５ｂ、１５ｃがそれぞれ対向する位置に設けられているので、給電用端子１５ｂ、１５ｃにより電源基板３の両側から電源基板３を狭持する。
【００３４】
次に、挿入した各基板２、３が抜け防止について、図６を用いて説明を行う。なお、以下の説明においては、ＬＥＤ基板２及びガイド溝１３ａを例として説明を行うが、電源基板３及びガイド溝１３ｂにおいても同様である。
【００３５】
器具本体１は、ガイド溝１３ａの上側壁面であって、ＬＥＤ基板２をガイド溝１３ａを用いて後方まで挿入した際に、ＬＥＤ基板２の被係止孔２３と対向する位置に、ガイド溝１３ａの上側壁面から下方に突出した半球状の係止突起１８ａが設けられている。またガイド溝１３ａの下側壁面のうち、器具本体１の前方側（図６の左側）から後方側（図６の右側）にかけて所定の長さの範囲が上方に突出した凸部１８ｂが設けられている。
【００３６】
ＬＥＤ基板２を前方からガイド溝１３ａに挿入する際は、凸部１８ｂによりガイド溝１３ａの上方にＬＥＤ基板２が押し上げられる。さらにＬＥＤ基板２を後方に押し込むと、ＬＥＤ基板２の後方側が係止突起１８ａにより下方に押下げられるが、ＬＥＤ基板２の前方側は変わらず凸部１８ｂにより上方に押し上げられるので、ＬＥＤ基板２のガイド溝１３ａに押し込まれた部位に撓みが生じる。そのままＬＥＤ基板２を後方まで挿入し、ＬＥＤ基板２の被係止孔２３が係止突起１８ａと対向する位置までくると、係止突起１８ａの先端部が被係止孔２３に収まるので、ＬＥＤ基板２を上側から押下げる力が無くなる。これにより、ＬＥＤ基板２の撓みが解消し、ＬＥＤ基板２は器具本体１の内部に収納された状態で保持される。この保持状態からＬＥＤ基板２を前方に抜き出すためには、再度ＬＥＤ基板２を撓ませる必要があるので、ＬＥＤ基板２が不用意に抜け出ることが防止できる。
【００３７】
次に、挿入した各基板２、３を取り外しについて、図７を用いて説明を行う。なお、以下の説明においては、ＬＥＤ基板２及びガイド溝１３ａを例として説明を行うが、電源基板３及びガイド溝１３ｂにおいても同様である。
【００３８】
器具本体１の後方側壁のうち、上下方向の位置がガイド溝１３ａと対応する部位に、ＬＥＤ基板２を後方から押すことでＬＥＤ基板２を前方に押し出す取出機構６が設けられている。取出機構６は、一端が器具本体１の後方側壁の孔１９から突出し、ガイド溝１３ａの前後方向に伸びた略円柱状の押釦６１と、押し操作された押釦６１を前方に復帰させるためのバネ６２と、バネ６２及び押釦６１の前方への移動を所定の位置で規制するバネ用板６３及びＣ型止め輪６４とを備える。
【００３９】
ここで、カバー４ａを外した状態で、押釦６１の器具本体１の後方に突出した部位（図７の６１ａ）を押し操作すると、ガイド溝１３ａに沿って前方に突出した他端側（図７の６１ｃ）がＬＥＤ基板２と当接し、ＬＥＤ基板２の後方から前方に向けて力が加わる。これにより、ＬＥＤ基板２は、上述した係止突起１８ａ及び凸部１８ｂにより一部を撓ませながら、押釦６１を押し出した分だけ前方に移動する。その後、器具本体１の前方から、ＬＥＤ基板２を手などで挟み、さらに前方に引き出すことでＬＥＤ基板２を器具本体１から取り外すことができる。
【００４０】
なお、押釦６１を押し操作した際には、押釦６１の鍔部（図７の６１ｂ）がＣ型止め輪６４と当接し、ガイド溝１３に固定されたＣ型止め輪６４によって、前方への移動が規制され、押釦６１が前方へと抜け落ちることを防止している。また、押釦６１を押し操作することで、鍔部６１ｂとバネ用板６３との間でバネ６２が縮められるので、押釦６１の押し操作を止めると、バネ６２の復帰力によって押釦６１が後方に押し戻される。後方に押し戻された押釦６１は、押釦６１の鍔部６１ｂ器具本体１の側壁と当たり、押釦６１が孔１９から抜け出てしまうことを防止している。
【００４１】
このようにして、器具本体１の前面に個別に設けた挿入口１２ａ、１２ｂからＬＥＤ基板２及び電源基板３を交換することができるので、個々の基板を交換する際に他の基板への影響を低減するとともに、器具本体１を解体する必要が無く、基板の交換にかかる手間を軽減することができる。
【００４２】
また、ガイド溝１３に給電用端子１５を設けたことにより、ガイド溝１３を用いて各基板２、３を器具本体１に挿入すれば、給電用端子１５と各基板２、３に設けた被接触部２２、３２とが接触して、電源基板３からＬＥＤ基板２へと点灯電力が供給されるので、別途受給電用の機構を設ける必要が無く、また、基板の交換にかかる手間をさらに低減することができる。また、給電用端子１５は弾性力により被接触部２２、３２に押し付けられるので、給電用端子１５と被接触部２２、３２との接触強度が高く、安定した電力の受給電を行うことができる。
【００４３】
また、器具本体１に設けた係止突起１８ａおよび凸部１８ｂと、各基板２、３に設けた被係止孔２３、３３により各基板２、３が器具本体１の内部に保持されるので、基板が不用意に器具本体の外側に抜け出ることを防止することができる。
【００４４】
また、取出機構６を用いることで各基板２、３を容易に器具本体１の外側に押し出すことができ、各基板２、３の交換にかかる手間を更に減らすことができる。
【符号の説明】
【００４５】
１          器具本体
１１        収納空間
１２        挿入口
１３        ガイド溝
１５        給電用端子（接触部）
１６        導電板
２          ＬＥＤ基板
２１        ＬＥＤ
２２        被接触部
２３        被係止孔（係止手段）
３          電源基板
３１        電源回路
３２        被接触部
３３        被係止孔（係止手段）
【図１】
2011134511.tif 000003
【図２】
2011134511.tif 000004
【図３】
2011134511.tif 000005
【図４】
2011134511.tif 000006
【図５】
2011134511.tif 000007
【図６】
2011134511.tif 000008
【図７】
2011134511.tif 000009